(57)【要約】【課題】アッパーキャビネットの背面側に設けた上下昇降式の昇降棚の前面側のスペースに、照明装置を回動可能かつ回動位置及び姿勢において定置できるように設け、この照明装置をキャビネットから下方に回動して繰り出した状態で、その上に、物品を載置できるようにして昇降棚の前面側のスペースを有効利用可能とするきわめて使い勝手の良いキャビネットを実現する。【解決手段】壁面の上方位置に設置され、天板６、側板７、背板８、底板９及び扉１０を有する箱体の内部において、背板８の前面側に上下に昇降する昇降棚１６を取り付け、昇降棚１６の前側に、照明装置３４を回動自在の設け、照明装置３４を下方に回動した位置で、照明装置３４の上面に物品を載置可能とする。【選択図】図２
2007029309.tif 000002
【特許請求の範囲】
【請求項１】
壁面の上方位置に設置され、天板、側板、背板、底板及び扉を有する箱体の内部に収納部を備えたキャビネットであって、背板の前面側に上下に昇降する昇降棚を取り付け、昇降棚の前側に、照明装置を回動自在に設け、照明装置を下方に回動した位置で、照明装置の上面に物品を載置可能としたことを特徴とするキャビネット。
【請求項２】
請求項１記載のキャビネットであって、前記照明装置を回動するための手掛け部を備えたことを特徴とするキャビネット。
【請求項３】
請求項１記載のキャビネットであって、前記照明装置の上面を透光性のある素材で形成したことを特徴とするキャビネット。
【発明の詳細な説明】
【技術分野】
【０００１】
本発明は、キャビネットに関し、特に、キッチンのシンク上方に収納空間を提供し、昇降棚を有するアッパーキャビネットに関する。
【背景技術】
【０００２】
キッチンのアッパーキャビネットにはいろいろな構造のものがある。例えば、キッチンのアッパーキャビネットの後方に収納スペースを設け、この収納スペースに下方へ移動自在の移動棚を取り付けた構成は公知である（特許文献１参照）。
【０００３】
そして、外殻ケースから収納体を下降させて取り出し、上昇させて格納させる収納ユニットにおいて、外殻ケースの下部に取り付けた照明器具を、収納体の昇降に伴って回動させる構成は公知である（特許文献２参照）。
【特許文献１】特開平１−２９３８０６号公報
【特許文献２】実開昭６３−１１２８３３号公報
【発明の開示】
【発明が解決しようとする課題】
【０００４】
上記のとおり、キッチンのアッパーキャビネットには、いろいろな構造のものがあるが、アッパーキャビネット内において、背面側に上下昇降式の昇降棚を設けたものでは、昇降棚が最上位に位置して、その昇降棚上に収納された物品がアッパーキャビネット内に収納された状態において、その前方のスペースが利用されず、デッドスペースとなってしまう。
【０００５】
本発明は、上記従来の問題に着目し、アッパーキャビネットの背面側に設けた上下昇降式の昇降棚の前面側のスペースを有効利用することを課題とするものであり、この昇降棚の前面側のスペースに、照明装置を設け、その姿勢位置によっては、小物、或いは洗浄後の食器等を、容易に置くことができる棚としても利用できる、使い勝手の良いキャビネットを実現するものである。
【課題を解決するための手段】
【０００６】
本発明は上記課題を解決するために、壁面の上方位置に設置され、天板、側板、背板、底板及び扉を有する箱体の内部に収納部を備えたキャビネットであって、背板の前面側に上下に昇降する昇降棚を取り付け、昇降棚の前側に、照明装置を回動自在に設け、照明装置を下方に回動した位置で、照明装置の上面に物品を載置可能としたことを特徴とするキャビネットを提供する。
【０００７】
前記キャビネットは、前記照明装置を回動するための手掛け部を備えた構成としてもよい。
【０００８】
前記キャビネットは、前記照明装置の上面を透光性のある素材で形成することが好ましい。
【発明の効果】
【０００９】
本発明に係るキャビネットによれば、アッパーキャビネットの背面側に設けた上下昇降式の昇降棚の前面側のスペースに照明装置を設ける構成としたので、スペースの有効利用ができるとともに、照明装置を下方に回動して繰り出すことで、照明装置として使いながら収納部としても利用できるから、きわめて使い勝手の良い、意匠性にもすぐれたキャビネットとなる。特に、棚として物を載せながら、下方からライトアップできる構造とした場合は、興趣深いデザイン照明としての機能も発揮することができる。
【発明を実施するための最良の形態】
【００１０】
本発明に係るキャビネットを実施するための最良の形態を実施例に基づき図面を参照して、以下説明する。
【実施例１】
【００１１】
図１、２は、本発明に係るキャビネットの実施例１を説明する図である。図１（ａ）は、本発明の実施例１であるキャビネット１をキッチンに設置した状態の全体構成を示し、図１（ｂ）、（ｃ）は、使用状態を説明する図である。さらに、図２（ａ）〜（ｃ）は、実施例１のキャビネットの要部を説明する図である。
【００１２】
図１（ａ）に示すように、この実施例１のキャビネット１は、シンク２及びコンロ３等を有するシンクキャビネット４（カウンター）の上方位置に設置されるアッパーキャビネットである。５はキャビネット１に隣接して配置されたレンジフードである。
【００１３】
この実施例１のキャビネット１は、昇降棚を有する昇降棚付きキャビネットであり、図１（ａ）、図２（ａ）、（ｂ）に示すように、天板６、左右の側板７、背板８、底板９、扉１０からなる箱体から形成され、内部に収納部１１（収納部本体）を有している。底板９は、左右の側板７の間に側板７の下端より上方に水平に配置されている。
【００１４】
収納部１１は、天板６、左右の側板７、背壁１２、底板９、及び扉１０で囲まれた空間である。この実施例のキャビネット１の収納部１１には、棚板１３が取り付けられており、扉１０で開閉可能である。
【００１５】
図２（ａ）、（ｂ）に示すように、キャビネット１の収納部１１の背面側であって背板８の前側のスペースには、昇降棚装置１４が配設されている。昇降棚装置１４は、昇降フレーム１５と、この昇降フレーム１５の下端の前面側に水平に取り付けられた昇降棚１６とを備えており、昇降フレーム１５及び昇降棚１６は、昇降機構１７によって上下動できる構成となっている。
【００１６】
昇降棚１６は、その横幅はキャビネット１の間口より小さく左右の側板７内に収まる寸法であり、その前後幅はキャビネット１の奥行において前方に照明装置を配置する部分を除いた寸法に形成される。昇降機構は、昇降棚１６が上下方向に移動できれば、手動式でも電動式でもよいが、一例として、使用者が手動で昇降棚１６を上下動できる昇降機構１７を図６（ａ）〜（ｄ）で説明する。
【００１７】
図６（ａ）、（ｃ）は昇降機構１７を正面側から見た図であり、これらの図のＡ−Ａ断面を図６（ｂ）、（ｄ）に示す。図６（ａ）、（ｂ）は、図２（ａ）に示すように、昇降棚１６が上昇しキャビネット１内に収納されている位置にあり、図６（ｃ）、（ｄ）は、図２（ｂ）に示すように、昇降棚１６が下降しキャビネット１の下方の位置にある状態をそれぞれ示している。
【００１８】
この昇降機構１７は、背板８の前面に上下方向に延びるレール部材１８が固定されており、このレール部材１８に昇降フレーム１５が上下方向に摺動可能に設けられている。具体的には、レール部材１８としてリニア軸受を利用し、このリニア軸受に摺動可能な摺動部材に昇降フレーム１５を取り付けた構造とすれば、昇降フレーム１５がスムースに上下動可能となる。
【００１９】
レール部材１８の上端には渦巻きバネ１９がバネケース２０を介して背板８に固定されている。渦巻きバネ１９の自由端は昇降フレーム１５に固定されている。これにより、渦巻きバネ１９の弾力が昇降フレーム１５に上方に作用する。そして、レール部材１８の左右の両側面には、鋸歯状のストッパラック２１が設けられている。
【００２０】
昇降フレーム１５には、Ｕ型の操作杆２２の左右の軸部２３が昇降フレーム１５の左右の支持部２４により上下動可能に装着されている。操作杆２２の左右の軸部２３の上端は、それぞれＺ型のストッパラッチ２５の下部外端に枢着されている。ストッパラッチ２５は、その下部内端で昇降フレーム１５の一部に枢支されており、上部内端はストッパラック２１に噛み合う係合部となっている。
【００２１】
昇降フレーム１５の支持部２４と、操作杆２２の軸部２３に固定されたバネ受け２６との間に圧縮コイルバネ２７が設けられており、昇降フレーム１５に対して操作杆２２を上方に付勢している。これにより、ストッパラッチ２５を、枢支軸２８を中心にストッパラック２１に噛み合う回転方向に付勢している。
【００２２】
昇降フレーム１５のハンドル２９に手をかけて、操作杆２２の把持部３０をコイルバネ２７の弾力に抗して下方に引くと、ストッパラッチ２５の係合が解除可能となる。この状態で、図６（ｃ）、（ｄ）に示すように、渦巻きバネ１９の弾力に抗して、ハンドル２９を下方に引き下げると、昇降フレーム１５及び昇降棚１６を下方に摺動できる。
【００２３】
昇降フレーム１５及び昇降棚１６を下降させて所望の位置で、操作杆２２の把持部３０を元に戻すと、コイルバネ２７の弾力で、操作杆２２は上方に移動してストッパラッチ２５がストッパラック２１に係合し、昇降フレーム１５及び昇降棚１６を下降位置に停止することができる。
【００２４】
昇降フレーム１５及び昇降棚１６を上昇させる場合は、上記と同様の操作によりストッパラッチ２５の係合を解除すれば、渦巻きバネ１９の弾力により昇降フレーム１５及び昇降棚１６を上昇させることができる。
【００２５】
図２（ａ）〜（ｃ）に示すように、左右の側板７の内面間に仕切壁３１が垂直に取り付けられている。この仕切壁３１によって、左右の側板７の間であって底板９の下方のスペースが、前方における照明装置用のスペース３２と、後方における昇降棚１６がその最上位において収納される昇降棚１６の収納用のスペース３３とに仕切られている。
【００２６】
照明装置用のスペース３２には、図１（ｂ）、（ｃ）及び図２（ａ）、（ｂ）等に示すように、照明装置３４が回動位置を変更可能に設置されている。図２（ｃ）は、照明装置３４の構造を説明する断面を示す図である。照明装置３４は、合成樹脂で形成された照明台３５及び照明カバー３６を備え、照明台３５の前面に照明具３７が取り付けられて構成されている。
【００２７】
照明装置３４は、その全体の横幅及び奥行は、スペース３２内で回動可能な状態で収まる程度の寸法である。よって、照明台３５、照明カバー３６、及び照明具３７の横方向の長さ（図２（ｃ）の紙面に垂直な方向の長さ）は、左右の側板７の間の間隔の寸法より若干小さく形成されている。
【００２８】
照明台３５は、照明具３７を取り付けるとともに、小物置き用の棚としても機能するものであり、適宜の機械的強度を有するように、その厚み等が形成されている。照明台３５は、その基端部（図２（ｃ）では下端の部分）において、枢支軸３８に回転可能に取り付けられている。この枢支軸３８は、左右の側板７の内面にそれぞれに互いに向き合うように突設されている。
【００２９】
これにより、照明装置３４は、枢支軸３８を中心に、照明装置用のスペース３２内の位置（図１（ｂ）参照）から下方の引き出し位置（図１（ｃ）参照）に向けて、反時計針方向及びその逆方向に回動可能である。なお、枢支軸３８は、照明台３５の左右の側面にそれぞれ突設し、これに対して左右の側板７内面に軸受孔を設け、枢支軸３８を軸受孔に回転可能に軸支する構成としてもよい。
【００３０】
照明台３５の先端（図２（ｃ）では上端）にはフック３９が形成されている。このフック３９に対向するように、底板９の下面にストッパ４０が固定されている。ストッパ４０は、合成樹脂で形成されており、フック３９を係脱可能に係止するものである。
【００３１】
図１（ｂ）、図２（ｃ）に示すように、ストッパ４０でフック３９が係止されている状態から、照明装置３４を反時計針方向に力を入れて回動すると、ストッパ４０は上方に退避し、フック３９の係止を解除することができる。逆に、図１（ｃ）に示すように、フック３９の係止が解除されいる状態から、照明装置３４を図１（ｂ）の状態に向けて回動させてフック３９をストッパ４０下面に沿って押し込むと、ストッパ４０は、上方に弾力的に退避した後、戻ってフック３９を係止する。
【００３２】
照明台３５の前面には、ビスで蛍光灯等の照明具３７が固定されている。この照明具３７には、電源コード４１が接続されている。電源コード４１は、昇降棚１６の収納用のスペース３３を通過してキャビネットの裏面側又は側面側に延び、図示しない電源に接続されている。なお、照明具３７のスイッチ（図示せず）は、電源コード４１の配線の途中に設置される。このスイッチは、通常の押しボタン式のスイッチでもよいが、外部からリモートコントロールにより無線で開閉制御されるスイッチであってもよい。
【００３３】
電源コード４１は、昇降棚１６の収納用のスペース３３内で、昇降棚１６の邪魔にならないように、仕切壁３１、底板９及び側板７等の面に沿って配線されている。電源コード４１の一部は、図２（ｃ）に示すように、コイル状に形成され、照明装置３４が回動しても伸縮して追従できるようになっている。
【００３４】
照明台３５の前面上下には装着用溝４２が形成されており、この装着用溝４２に照明カバー３６の取り付け縁４３を嵌合することで、照明台３５に着脱可能に照明カバー３６を装着することができる。照明カバー３６は、図２（ｃ）において、湾曲部４４と底部４５とを有し、湾曲部４４は、照明具３７の前面側にスペースを形成するように、その前面が湾曲状に形成されている。照明カバー３６の素材となる合成樹脂材は、光透過性の合成樹脂である。そして、照明カバー３６の湾曲部４４の下端には手掛け部４６が形成されている。
【００３５】
左右の側板７の内面の下端且つ前端部には、支持具４７が設けられている。この支持具４７は、それぞれに互いに向き合うように左右の側板７から突設された突起でもよいし、左右の側板７間に架設された棒でもよい。照明装置３４は、全体として枢支軸３８により照明装置用のスペース３２内で回動可能であるが、図１（ｃ）に示す位置まで回動させると、照明台３５のフック３９が支持具４７に係合されて支持され、図１（ｃ）に示す位置及び姿勢に維持される。
【００３６】
（作用）
以上のような構成から成るキャビネット１の作用を説明する。図１（ｂ）、図２（ｃ）等に示すように、照明装置３４は、そのフック３９がストッパ４０で係止されて、照明装置用のスペース３２内に収納されている。この状態では図１（ｂ）に示すように、照明具３７は、照明カバー３６を通して下方を照明する。
【００３７】
使用者が、照明装置３４の手掛け部４６に手を掛けて下方に引くと、ストッパ４０が上方に退避して係止が解除され、照明装置３４を枢支軸３８を中心に下方に引き出すように反時計針方向に回動して、図１（ｃ）の位置で照明台３５のフック３９が支持具４７に係合されて支持され、図１（ｃ）に示す位置及び姿勢に維持される。
【００３８】
この状態では、照明具３７は、照明カバー３６の湾曲部４４を通して下方及び前方を照明する。照明装置３４がこの位置及び姿勢にある時には、照明台３５の底部４５が棚として機能し、調味料、その他の小物を置くことができる。
【００３９】
なお、使用者が、照明装置３４の手掛け部４６に手を掛けて照明装置３４を、図１（ｃ）の位置から図１（ｂ）の方向に戻すように上方、時計針方向に回動して押し込むと、図１（ｂ）の位置でストッパ４０がフック３９を係止して、照明装置３４を図１（ｂ）の位置及び姿勢で維持することができる。
【００４０】
なお、昇降棚１６を使用する際には、操作杆２２を操作してストッパラッチ２５をストッパラック２１から係合解除しながら、ハンドル２９を下方に引くことで、図１（ａ）、図２（ｂ）、図６（ｃ）、（ｄ）に示すように、キャビネット１の下方の位置に引き出すことができる。このような昇降棚１６が降下した位置では、使用者は、昇降棚１６に収納物を載せたり取り出したりすることができ、昇降棚１６に収納ボックス３５を装着すれば、さらに収納力ができる。
【００４１】
そして、昇降棚１６の上に小物を載置し、ストッパラッチ２５をストッパラック２１から係合解除しながら、渦巻きバネ１９の弾力を利用してハンドル２９で昇降棚１６を上方に上げれば、昇降棚１６が最上位の位置では、図２（ａ）に示すように、昇降棚１６をキャビネット１の昇降棚収納用のスペース３３内に収納することができる。  
【００４２】
昇降棚１６が最上位の位置では、キャビネット１内に昇降棚１６が収納された状態となるが、この位置では、昇降棚１６の下面が左右の側板７のほぼ下端の位置となり、キャビネット１を下方から見て凹凸などがなく、見た目もよく意匠性にも優れている。
【実施例２】
【００４３】
本発明に係るキャビネットの実施例２を、図３〜５を参照して説明する。この実施例２のキャビネット４８は、実施例１と殆ど同じ構成であるが、主に照明装置の構造が異なるので、以下、実施例１と異なる照明装置の構造を中心に、併せてその関連する構造について説明する。図３は、本発明の実施例２であるキャビネット４８をキッチンに設置した状態の全体構成を示す。
【００４４】
この実施例２のキャビネット４８は、実施例１と同様に、図４（ａ）、（ｃ）、図５（ａ）に示すように、天板６、左右の側板７、背板８、底板９、扉１０’からなる箱体から形成され、内部に収納部１１を有している。実施例１と同様に、収納部１１は、天板６、左右の側板７、背壁１２、底板９、及び扉１０’で囲まれた空間であり、この収納部１１の背面側に実施例１と同様の昇降棚装置１４が配設されている。
【００４５】
この実施例２の扉１０’の縦寸法は、実施例１の扉１０のそれより短く、その下端は底板９の下面とほぼ同じ高さとなるように形成されている。底板９の前端下面には、断面Ｌ型の前カバー４９が固定されている。前カバー４９の前端部は、扉１０’と面一となるとともに、下方に垂直に少し張り出して形成されている。前カバー４９は、後述する照明装置５０の前方側への回動を係止するストッパとして機能するとともに、照明装置５０と扉１０’との隙間を遮蔽する化粧板として機能する。
【００４６】
実施例２も実施例１と同様に、仕切壁３１によって、左右の側板７の間であって底板９の下方のスペースが、前方における照明装置用のスペース３２と、後方における昇降棚１６がその最上位において収納される昇降棚１６の収納用のスペース３３とに仕切られている。照明装置用のスペース３２内に照明装置５０が、図５（ａ）〜（ｃ）に示すように、回動位置を変更可能に設置されている。
【００４７】
図５（ａ）は、照明装置５０を説明する断面を示す図である。照明装置５０は、照明台５１、照明カバー５２及び照明サイドカバー５３（図４（ｃ）参照）を備えており、照明台５１の背面に照明具３７が取り付けられ、照明具３７の前面に棚板兼用の照明カバー５４が取り付けられている。
【００４８】
照明台５１は、照明具３７を取り付けるとともに、棚板兼用の照明カバー５４を取り付けるものであるから、適宜の機械的強度を有するように、その厚み等が形成されている。照明台５１の左右両側には照明サイドカバー５３が装着されており、この照明サイドカバー５３の基端部には側方に支持軸５５が突出して形成されている（図４（ｃ）参照）。この支持軸５５は円筒状に形成され、その中を電源コード５６が通せるように構成されている。
【００４９】
一方、図４（ｃ）に示すように、左右の側板７の前面に、扉１０’の下方に位置して照明装置５０を回動可能に支持する支持部材５７が固定されている。支持部材５７の内面には、軸受孔５８が形成され、この軸受孔５８内で支持軸５５を回転可能に枢支している。
【００５０】
これにより、照明装置５０は、支持軸５５を中心に、照明装置用のスペース３２内の位置（図５（ｂ）参照）から下方の引き出し位置（図５（ｃ）参照）に向けて、時計針方向及びその逆方向に回動可能に構成されている。なお、支持軸５５を支持部材５７側に設け、照明サイドカバー５４側に軸受孔５８を設けて、支持軸５５を軸受孔５８で回転可能に枢支する構成としてもよい。
【００５１】
照明台５１の先端（図５（ａ）では上端）には背面側に向けて突出するフック５９が形成されている。このフック５９の先端に対向するように、ストッパ６０が底板９の下面にが固定されて設けられている。ストッパ６０は、合成樹脂で形成されており、フック５９を係脱可能に係止して、照明装置５０を図５（ａ）、図５（ｂ）の位置から下方、時計針方向に回動しないようにしている。
【００５２】
しかし、照明装置５０を力を入れて時計針方向に強制的に回動すると、ストッパ６０が上方に退避しフック５９の係止が解除される。逆に、図５（ｃ）の状態から図５（ｂ）の状態に向けて照明装置５０を回動させストッパ６０の下面に沿ってフック５９を押し込むと、ストッパ６０は、上方に弾力的に退避してから戻りフック５９を係止する。
【００５３】
照明台５１の背面には蛍光灯等の照明具３７が固定されている。この照明具３７には、電源コード５６が接続されている。電源コード５６は、照明サイドカバー５４から支持軸５５内を通り支持部材５７から、実施例１と同様に、昇降棚１６の収納用のスペース３３を通過してキャビネット１０’の裏面側又は側面側に延び、図示しない電源に接続されている。
【００５４】
電源コード５６は、図示はしないが、昇降棚１６の収納用のスペース３３内では、昇降棚１６の邪魔にならないように、底板９や側板７の内面に沿って配線されている。なお、照明具３７のスイッチ（図示せず）は、電源コード５６の配線の途中に設置される。このスイッチは、実施例１と同様に、通常の押しボタン式のスイッチでもよいが、外部からリモートコントロールにより無線で開閉制御されるスイッチであってもよい。            
【００５５】
照明台５１の背面側には、実施例１と同様に、照明カバー５２を着脱可能に装着することができる。さらに、照明台５１の前面側には、棚板兼用の照明カバー５４が着脱可能に装着されている。照明台５１、照明カバー５２、及び棚板兼用の照明カバー５４の素材となる合成樹脂材は、光透過性の合成樹脂である。
【００５６】
左右の側板７の下端且つ前端から背面側に入った内面の位置に、それぞれに互いに向き合うように支持具６１が突設されている。この照明装置５０は、全体として支持軸５５によって照明装置用のスペース３２内で回動可能である。図５（ａ）の位置から図５（ｃ）に示す位置まで回動させると、照明台５１のフック５９が支持具６１に係合されて支持され、図５（ｃ）に示す回動位置及び姿勢に維持される。
【００５７】
（作用）
以上のような構成から成る実施例２のキャビネット４８の作用を説明する。図４（ａ）、図５（ａ）、（ｂ）に示すように、照明装置５０は、そのフック５９が前カバー４９に当接し、ストッパ６０によって係止され、照明装置用のスペース３２内に収納されている。この状態では図５（ｂ）に示すように、照明具３７は、照明カバー５２及び棚板兼用照明カバー５４を通して下方及び前方を照明する。           
【００５８】
使用者が、棚板兼用の照明カバー５４の上部を押し込むと、ストッパ６０が上方に退避し、フック５９の係止を解除し、照明装置５０が支持軸を中心に下方に回動し、図５（ｃ）の位置で照明台５１のフック５９が支持具６１に係合されて支持され、図５（ｃ）に示す位置及び姿勢に維持される。
【００５９】
この位置及び姿勢にある時には、棚板兼用の照明カバー５４は棚として機能し、調味料、その他の食器等の小物６２を置くことができる。この状態では、照明具３７は、照明カバー５２を通して下方を照明するだけでなく、棚板兼用の照明カバー５４を通して上方を照明しライトアップすることができ、興趣深いデザイン照明としての機能も発揮する。
【００６０】
使用者が、図５（ｃ）の位置から図５（ｂ）の方向に戻すように、照明装置５０を反時計針方向に押し込むように上方に回動すると、図５（ｂ）の位置でストッパ６０がフック５９を係止して、照明装置５０を図５（ｂ）の位置及び姿勢に維持することができる。
【００６１】
以上、本発明に係るキャビネットを実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００６２】
以上、本発明に係るキャビネットを説明したが、このような構成のキャビネットは、キッチンのアッパーキャビネットに限らず、背面側に昇降棚を備えた収納キャビネットであれば、洗面キャビネット等、その他いろいろな収納用キャビネットにも適用することもできる。
【図面の簡単な説明】
【００６３】
【図１】本発明に係るキャビネットの実施例１を説明する図であり、（ａ）はキッチンの全体におけるキャビネットの全体構成を説明する斜視図であり、（ｂ）、（ｃ）は照明装置の使用状態を説明する図である。
【図２】実施例１のキャビネットの要部を説明する図であり、（ａ）、（ｂ）はキャビネットの内部の構成を側方から見た図であり、（ｃ）は（ａ）の照明装置を拡大して説明する図である。
【図３】本発明に係るキャビネットの実施例２を説明する図であり、キッチン全体におけるキャビネットの全体構成を説明する斜視図である。
【図４】実施例２のキャビネットの要部を説明する図であり、（ａ）は昇降棚がキャビネット内に収納されている状態を側方から見た図であり、（ｂ）は昇降棚がキャビネットの下方に降下されている状態を側方から見た図であり、（ｃ）はキャビネットの要部の斜視図である。
【図５】（ａ）は実施例２の要部斜視図を示す図であり、（ｂ）、（ｃ）は照明装置の使用状態を説明する図である。
【図６】（ａ）、（ｃ）は実施例１及び実施例２の昇降機構を正面側から見た図であり、（ｂ）、（ｄ）は（ａ）、（ｃ）のＡ−Ａ断面を示す。
【符号の説明】
【００６４】
１、４８  キャビネット（実施例１、２）          
２  シンク                            
３  コンロ                           
４  シンクキャビネット（カウンター）  
５  レンジフード                      
６  天板                              
７  左右の側板                        
８  背板                              
９  底板                              
１０、１０’  扉                              
１１  収納部                          
１２  背壁                            
１３  棚板                            
１４  昇降棚装置                      
１５  昇降フレーム                    
１６  昇降棚                          
１７  昇降機構                        
１８  レール部材                      
１９  渦巻きバネ                      
２０  バネケース                      
２１  ストッパラック                  
２２  操作杆                          
２３  操作杆の軸部                            
２４  昇降フレームの支持部                          
２５  ストッパラッチ                  
２６  バネ受け                        
２７  圧縮コイルバネ                  
２８  ストッパラッチの枢支軸                          
２９  昇降フレームのハンドル                        
３０  操作杆の把持部                          
３１  仕切壁
３２  照明装置用のスペース                
３３  昇降棚の収納用のスペース            
３４、５０  照明装置                            
３５、５１  照明台                              
３６、５２  照明カバー                          
３７  照明具                              
３８  枢支軸                              
３９、５９  フック                              
４０、６０  ストッパ                            
４１、５６  電源コード                          
４２  照明台の前面上下には装着用溝        
４３  照明カバーの取り付け縁              
４４  照明台の湾曲部                      
４５  底部                                
４６  手掛け部                            
４７  支持具                              
４９  前カバー                            
５３  照明サイドカバー                    
５４  棚板兼用の照明カバー                
５５  支持軸                              
５７  支持部材                            
５８  軸受孔                              
６１  支持具                              
６２  小物                                
【図１】
2007029309.tif 000003
【図２】
2007029309.tif 000004
【図３】
2007029309.tif 000005
【図４】
2007029309.tif 000006
【図５】
2007029309.tif 000007
【図６】
2007029309.tif 000008